(57)【要約】【課題】  文字、図形、記号、絵画、写真等を表示した表示膜を繰出し可能な巻回物を備えた簡易且つ安価な構造の表示具を提供する。【解決手段】  表示具は、軸部材(20)に巻回したシート状物を使用時に繰出し、シート状物の表示部分(35 、36) を露出させるとともに、不使用時にシート状物を軸部材に巻回する。シート状物は、複数の樹脂フィルム(11 〜14) を積層した積層フィルム(10)からなる。積層フィルムは、樹脂フィルムに対して積層時にプレストレス(P1,P2) を付与することによって、残留応力を与えられており、残留応力は、積層フィルムの繰出し時に積層フィルムを巻回状態に復元させるように設定されている。【選択図】  図１
0003108963.tif 000002
【実用新案登録請求の範囲】
【請求項１】
軸部材に巻回したシート状物を使用時に繰出し、該シート状物の表示部分を露出させるとともに、不使用時に前記シート状物を前記軸部材に巻回するように構成された表示具において、
前記シート状物は、複数の樹脂フィルムを積層した積層フィルムからなり、
該積層フィルムは、前記樹脂フィルムに対して積層時にプレストレスを付与することによって、残留応力を与えられており、
該残留応力は、前記積層フィルムの繰出し時に該積層フィルムを巻回状態に復元させるように設定されていることを特徴とする表示具。
【請求項２】
前記軸部材に前記積層フィルムを巻回してなる巻回物を筐体内に収納し、前記積層フィルムを該巻回物から繰出して該積層フィルムを筐体外に引出すための開口を該筐体に形成したことを特徴とする請求項１に記載の表示具。
【請求項３】
前記軸部材に前記積層フィルムを巻回してなる巻回物を並列に配置し、各巻回物の積層フィルムが各巻回物の間に張設されるようにするとともに、前記積層フィルムの張設部分を押圧するフィルム展開手段を備えたことを特徴とする請求項１又は２に記載の表示具。
【請求項４】
前記積層フィルムを転向させる牽引部材と、該積層フィルムの先端部を係留する係留部材とを有し、前記積層フィルムは、前記牽引部材の外周に沿って転向して、前記係留部材に係留されており、
前記牽引部材の移動によって前記積層フィルムを前記積層フィルムの巻回物から繰出すようにしたことを特徴とする請求項１又は２に記載の表示具。
【請求項５】
前記積層フィルムを転向させる案内手段が、前記フィルム展開手段と、前記巻回物との間に配置されたことを特徴とする請求項３に記載の表示具。
【請求項６】
前記フィルム展開手段は、任意の流体を封入することによって膨張する可撓性膜部材からなることを特徴とする請求項３に記載の表示具。
【請求項７】
前記積層フィルムの巻回物から繰出した積層フィルムを裏当面を形成する基台を有し、該基台上に展開した前記積層フィルムに任意の表示を記載できるようにしたことを特徴とする請求項１に記載の表示具。
【請求項８】
前記積層フィルムの巻取り時に該積層フィルムに摺接し、該積層フィルムに記載された表示を消去する手段を備えたことを特徴とする請求項７に記載の表示具。
【考案の詳細な説明】
【技術分野】
【０００１】
本考案は、表示具に関するものであり、より詳細には、文字、図形、記号、絵画、写真等を表示した表示膜を繰出し可能な巻回物を備えた簡易且つ安価な構造の表示具に関するものである。
【背景技術】
【０００２】
文字、図形、記号、絵画、写真等を表示したシート状物又はフィルムを回転軸に巻回した構造の表示具が知られている。この種の表示具は、例えば、実開昭５４−１７９０９６号公報に記載される如く、文字・図形等を描いた表示膜を回転軸上に巻回してなる巻回ロールを形成し、表示膜を巻回ロールから繰出して膜上の表示を露出させるように構成される。回転軸には、ゴム、スプリング等の付勢手段が連結され、付勢手段は、回転軸を初期の回転位置に常時付勢する。従って、巻回ロールから繰出した表示膜の拘束力を解放すると、回転軸は、付勢手段の弾性復元力によって回転軸を巻取り方向に回転させ、表示膜は、回転軸に巻取られる。
【０００３】
このような表示具として、ロールスクリーン構造を利用したものが知られている。例えば、実公平９−９４３５号には、建築物の出入口に配置される開閉シャッターに併設される装飾用又は宣伝広告用ロールスクリーンが記載されている。ロールスクリーンは、巻上スプリング又は駆動装置等に連結されたスクリーン巻軸に巻取られた状態でシャッター収納ボックス等に収納されており、使用時にスクリーン巻軸から繰出される。
【０００４】
また、比較的小型の巻上げ式表示具として、小型のハウジング内に固定軸又は回転軸を配置し、軸に巻回したシート状物又はフィルムをハウジングの開口部から引き出すように構成したものが知られている。このような表示具では、シート状物の一部をゴムシートで形成し、シート繰出し時に伸長したゴムシートの弾性反発力又は弾性復元力を利用してシート状物を軸上に巻取る構造、或いは、シート状物をゴム材料又はスプリングで軸に接続し、シート繰出し時に変形したゴム材料又はスプリングの弾性反発力又は弾性復元力を利用してシート状物を軸上に巻取る構造などが採用されている。
【特許文献１】実開昭５４−１７９０９６号公報
【特許文献２】実公平９−９４３５号公報
【考案の開示】
【考案が解決しようとする課題】
【０００５】
しかしながら、このような従来の表示具では、巻取り軸を強制回転させるゴム、スプリング、駆動装置等の付勢手段又は駆動手段を設けなければならず、或いは、シートを部分的にゴムシート等に置換する必要が生じる。このため、表示器の構造や、表示膜の構造及び製造過程等が複雑化又は煩雑化したり、製造コストが高額化するという問題が生じている。
【０００６】
本考案は、このような事情に鑑みてなされたものであり、その目的とするところは、文字、図形、記号、絵画、写真等を表示した表示膜を繰出し可能な巻回物を備えた簡易且つ安価な構造の表示具を提供することにある。
【課題を解決するための手段】
【０００７】
本考案は、上記目的を達成すべく、軸部材に巻回したシート状物を使用時に繰出し、該シート状物の表示部分を露出させるとともに、不使用時に前記シート状物を前記軸部材に巻回するように構成された表示具において、
前記シート状物は、複数の樹脂フィルムを積層した積層フィルムからなり、
該積層フィルムは、前記樹脂フィルムに対して積層時にプレストレスを付与することによって、残留応力を与えられており、
該残留応力は、前記積層フィルムの繰出し時に該積層フィルムを巻回状態に復元させるように設定されていることを特徴とする表示具を提供する。
【０００８】
本発明の上記構成によれば、積層フィルムは、その残留応力に抗して、積層フィルム巻回物から繰出される。文字、図形、記号、絵画、写真等の表示を予め印刷し又は描写した積層フィルムの部分、或いは、このような表示を描写すべき積層フィルムの部分、即ち、積層フィルムの表示部分は、積層フィルムの繰出しによって外界に露出する。繰出した積層フィルムは、その残留応力によって初期の巻回状態に復元し、積層フィルムの表示部分は、積層フィルム巻回物内に収納される。
【考案の効果】
【０００９】
本考案の上記構成によれば、文字、図形、記号、絵画、写真等を表示した表示膜を繰出し可能な巻回物を備えた簡易且つ安価な構造の表示具を提供することができる。
【考案を実施するための最良の形態】
【００１０】
本考案の好適な実施形態によれば、軸部材に積層フィルムを巻回してなる巻回物が筐体内に収納され、積層フィルムを積層フィルム巻回物から繰出して筐体外に引出すための開口が筐体に形成される。
【００１１】
本発明の他の好適な実施形態によれば、積層フィルム巻回物は、並列配置され、各巻回物の積層フィルムは、各巻回物の間に張設され、積層フィルムの張設部分を押圧するフィルム展開手段が設けられる。積層フィルムを転向させる案内手段をフィルム展開手段と積層フィルム巻回物との間に配置しても良く、また、任意の流体を封入することによって膨張する可撓性膜部材によってフィルム展開手段を構成しても良い。
【００１２】
本発明の更に他の実施形態においては、積層フィルムを転向させる牽引部材と、積層フィルムの先端部を係留する係留部材とが設けられ、積層フィルムは、牽引部材の外周に沿って転向して、係留部材に係留される。積層フィルムは、牽引部材の移動によって積層フィルム巻回物から繰出される。
【００１３】
変形例として、積層フィルムの巻回物から繰出した積層フィルムを裏当て面を形成する基台を設け、基台上に展開した積層フィルムに任意の表示を記載できるように表示具を構成しても良い。このような構成の表示具においては、積層フィルムの巻取り時に積層フィルムに摺接する消去手段を設け、積層フィルムに記載された表示を消去するように構成することができる。
【００１４】
図１（Ａ）は、本考案において使用される積層フィルム巻回物の構造を例示する積層フィルムの部分拡大断面図であり、図１（Ｂ）及び図１（Ｃ）は、積層フィルム巻回物の繰出し時及び巻取り時の態様を示す斜視図である。
【００１５】
図１（Ａ）には、積層フィルム１０の断面構造が例示されている。積層フィルム１０は、第１層１１、第２層１２、表面層１３及び裏面層１４をラミネートフィルム製法によって一体的に積層した多層構造又は複層構造のラミネートフィルムからなる。各層１１〜１４は、ポリエチレン、ＰＥＴ、ポリプロピレン等の樹脂を素材とした薄い樹脂フィルムからなる。所望により、第１層１１又は第２層１２は、アルミ蒸着膜等の金属薄膜１５を樹脂フィルムに形成した金属蒸着フィルムからなる。このように各種フィルムを貼り合わせたラミネートフィルムを製造するための基本的な製法自体は、既に知られているので、基本的製法に関する詳細な説明は、省略する。
【００１６】
ここに、本考案において使用される積層フィルム１０は、ラミネート工程において第１層１１及び第２層１２に作用する張力を制御し、積層フィルム１０内に残留応力が作用するように成形したものである。即ち、ラミネート工程において第１層１１及び第２層１２に夫々作用する張力Ｐ１、Ｐ２は、異なる値に設定され、張力Ｐ１、Ｐ２の最適値は、各層１１〜１４を一体的に積層して張力Ｐ１、Ｐ２を解放した後にプレストレスが積層フィルム１０内に残留するような関係に設定される。
【００１７】
このようにして製造された積層フィルム１０は、例えば、図１（Ｂ）に示すように、表層１３を外側面に向けた状態で円形断面の支軸２０に巻回され、巻回ロール３０を支軸２０廻りに形成する。支軸２０は、固定軸２１と、固定軸２１に遊動回転可能に支承した回転軸２２とからなり、回転軸２２は、固定軸２１を中心に回転する。巻回内端に位置する積層フィルム１０の一端（内端）は、接着剤又は係止具等によって回転軸２２に固着され、積層フィルム１０の他端（外端）は、巻回ロール３０の外面に位置する。
【００１８】
上述した製造時の張力Ｐ１、Ｐ２によって積層フィルム１０に生じる残留応力は、積層フィルム１０を図１（Ｂ）に示すような巻回状態に変形したときに解消する（釣り合う）ように設定されている。
【００１９】
図１（Ｂ）に矢印で示すように積層フィルム１０を手指で引き出すと、回転軸２２は固定軸２１を中心に回転する。この結果、積層フィルム１０は、図１（Ｃ）に示すように、積層フィルム巻回物３から繰出される。手指を積層フィルム１０から解放し、積層フィルム１０の張力（手指で積層フィルム１０に加えた引出し力）を除去すると、積層フィルム１０は、積層フィルム１０内に存在する内部応力、即ち、残留応力によって、初期状態（図１（Ｂ）に示す巻回状態）に復元しようとする。このため、積層フィルム１０は、図１（Ｃ）に矢印で示すように、回転軸２２を回転させながら、積層フィルム巻回物３に巻込み、初期状態に復元する。
【００２０】
繰出し時に露出する積層フィルム１０の部分には、文字、図形、模様等の表示、例えば、宣伝・広告等が予め印刷され又は描かれており、これは、積層フィルム１０の繰出し時に表出した表層１３の表示３５として外部から視認される。
【００２１】
従って、このように構成された積層フィルム巻回物３を備えた表示具は、巻取り軸を強制回転させる付勢手段又は駆動手段を格別に設けず、しかも、シート又はフィルムを部分的に特殊構造に置換することもなく、積層フィルム１０の繰出し動作又は巻取り動作に相応して表示３５を選択的に表示することができる。
【実施例１】
【００２２】
以下、図２〜図９を参照して、本考案の好適な実施例について詳細に説明する。
【００２３】
図２は、本考案の第１実施例に係る表示具の構成を示す断面図及び部分破断斜視図である。
【００２４】
表示具１は、方形の筐体（ハウジング又はケーシング）２と、筐体２内に収納した積層フィルム巻回物３とから構成される。筐体２は、留め具、接着剤、粘着剤、吸盤等の固定手段４によって、壁等の支持体５に固定される。筐体２の底壁２ａには、積層フィルム１０を引き出すためのスリット状開口６が形成される。積層フィルム巻回物３は、支軸２０に巻回した積層フィルム１０と、支軸２０を構成する固定軸２１及び回転軸２２と、手指で把持可能な把持部１７とから構成される。
【００２５】
固定軸２１の両端は、筐体２の左右の端壁２ｂに固定され、回転軸２２の中心を貫通する。回転軸２２は、固定軸２１廻りに遊嵌状態に支持され、積層フィルム１０の内端部が、回転軸２２の外面に接着される。積層フィルム１０の外端部分は、開口６を貫通して筐体２の下方に垂下する。図２（Ａ）に示すように、把持部１７は、積層フィルム１０の先端部に取付けられており、常時は、開口６に近接した積層フィルム１０の下端に位置している。
【００２６】
把持部１７を手指で下方に引っ張ると、回転軸２２は、固定軸２１の中心軸線を中心に回転し、積層フィルム巻回物３は、これに相応して積層フィルム１０を繰出す。この結果、積層フィルム１０は、図２（Ｂ）に示すように、開口６から下方に引き出される。把持部１７を支持体５に係留するための係止具、粘着剤、吸盤等の係留手段８が、把持部１７及び／又は支持体５に設けられる。係留手段８によって把持部１７を支持体５に係留すると、積層フィルム１０は、残留応力に抗して筐体２と係留手段８の間に展張され、文字、図形、模様等の表示３５（図１）が、積層フィルム１０の表面（支持体５と反対の側）に表出する。
【００２７】
係留手段８による把持部１７の係留を解放すると、積層フィルム１０は、残留応力によって、回転軸２２を回転させながら、巻回ロール３０に巻込むように変形する。把持部１７を最上昇位置（図２（Ａ））まで上昇したとき、積層フィルム１０は、その残留応力を喪失して安定し、静止する。かくして、積層フィルム１０は、図２（Ａ）に示す初期状態に巻取られる。
【実施例２】
【００２８】
図３及び図４は、本考案の第２実施例に係る表示具の構成を示す断面図である。
【００２９】
図３（Ａ）に示す如く、複数の積層フィルム巻回物３を積層フィルム１０によって接続することができる。図３（Ｂ）に示すように支軸２０を相互離間させると、積層フィルム１０は、残留応力に抗して積層フィルム巻回物３の間に展張し、文字、図形、模様等の表示３５（図１）は、積層フィルム巻回物３の間に表出する。
【００３０】
図４には、固定軸２１を任意の支持体５に固定し、フィルム展開手段７を積層フィルム巻回物３の間に配置した構成の表示具１が示されている。フィルム展開手段７は、手動操作等によって積層フィルム１０を押圧する部材（例えば、円形断面のローラ状部材）からなる。
【００３１】
図４（Ａ）に示す如く、フィルム展開手段７によって積層フィルム１０を直交方向に押圧すると、回転軸２２は、図４（Ａ）に矢印で示す繰出し方向に回転し、左右の積層フィルム巻回物３は、積層フィルム１０を均等に繰出す。この結果、積層フィルム１０は、フィルム展開手段７の押圧方向に張り出し、積層フィルム１０の外面に予め印刷され又は描かれた表示３５（図１）は、表示具１の外側に表出する。
【００３２】
他方、図４（Ｂ）に示す如く、フィルム展開手段７を初期位置（図４（Ａ））の方向に移動させると、積層フィルム１０は、残留応力によって、図４（Ｂ）に矢印で示す回転方向に回転軸２２を回転させながら、巻回ロール３０に巻込む。フィルム展開手段７が初期位置（図４（Ａ））に復帰すると、積層フィルム１０は、その残留応力を喪失して安定し、静止する。
【実施例３】
【００３３】
図５は、本考案の第３実施例に係る表示具の構成を示す側面図である。
【００３４】
本例の表示具１は、牽引ローラ７０及びフィルム先端係留ローラ７１を備える。ローラ７０、７１は、積層フィルム１を展開するためのフィルム展開手段７を構成する。
【００３５】
牽引軸７２が、牽引ローラ７０の中心を貫通し、牽引ローラ７０は、牽引軸７２に遊動回転可能に支持される。手指で握持可能な握持部材７５が、連結部材７４を介して牽引軸７２に連結される。積層フィルム１０は、牽引ローラ７０の外周面を周回し、積層フィルム１０の先端部が、フィルム先端係留ローラ７１に接着剤又は留め具等で係留される。係留ローラ７１は、連結部材７７を介して積層フィルム巻回物３の固定軸２１に連結される。
【００３６】
握持部材７５を手指で引っ張り、図５（Ａ）に矢印で示すように牽引ローラ７０及び積層フィルム巻回物３を相互離間させると、回転軸２２は、繰出し方向に回転し、積層フィルム巻回物３は、積層フィルム１０を繰出す。この結果、積層フィルム１０は、牽引ローラ７０及び積層フィルム巻回物３の間に展張し、表示３５（図１）を外界に表出させる。表示具１は、表示具１の片側のみに表示３５を表出するように設計しても、或いは、表示具１の両側に表示３５を表出するように設計しても良い。
【００３７】
他方、握持部材７５を解放すると、積層フィルム１０は、残留応力によって、図５（Ｂ）に矢印で示す回転方向に回転軸２２を回転させながら、巻回ロール３０に巻込む。同時に、牽引ローラ７０及び積層フィルム巻回物３は、互いに接近するように相対移動する。牽引ローラ７０及び積層フィルム巻回物３の相対位置が、図５（Ａ）に示す初期の位置関係に復帰すると、積層フィルム１０は、その残留応力を喪失して安定し、静止する。
【実施例４】
【００３８】
図６は、本考案の第４実施例に係る表示具の構成を示す断面図である。
【００３９】
本例の表示具１は、上記第３実施例と同様の牽引ローラ７０を備えるとともに、牽引ローラ７０の両側に配置された左右一対の案内ローラ８０を備える。左右一対の固定軸２１が、支持体５（仮想線で示す）に固定される。表示具１は、牽引ローラ７０の中心に対して左右対称の構成を有し、積層フィルム巻回物３の間に張設された積層フィルム１０は、牽引ローラ７０及び案内ローラ８０によって転向する。
【００４０】
図６（Ａ）に矢印で示すように牽引ローラ７０を外方に移動させると、回転軸２２は、繰出し方向に回転し、積層フィルム巻回物３は、積層フィルム１０を繰出す。この結果、積層フィルム１０は、図６（Ｂ）に示すように、牽引ローラ７０と案内ローラ８０との間に展張され、表示３５（図１）を表出させる。表示具１は、表示具１の片側のみに表示３５を表出するように設計しても、或いは、表示具１の両側に表示３５を表出するように設計しても良い。
【００４１】
他方、牽引ローラ７０の外力を解放すると、積層フィルム１０は、残留応力によって、図６（Ｂ）に矢印で示す回転方向に回転軸２２を回転させながら、巻回ロール３０に巻込み、牽引ローラ７０及び積層フィルム巻回物３の間の表示３５（図１）は、表示具１内に引っ込む。牽引ローラ７０及び積層フィルム巻回物３の相対位置が、図６（Ａ）に示す初期の位置関係に復帰すると、積層フィルム１０は、その残留応力を喪失して安定し、静止する。
【００４２】
図７は、天井等に取付けられた本実施例の表示具１を示す断面図及び部分破断斜視図である。
【００４３】
表示具１は、方形の筐体２と、筐体２内に収納した積層フィルム巻回物３とから構成される。筐体２は、固定手段４によって、水平な支持体、例えば、天井９に固定される。握持部材７５を手指で下方に引っ張ると、回転軸２２は回転し、積層フィルム巻回物３は、積層フィルム１０を繰出す。積層フィルム１０は、図７（Ｂ）に示すように、開口６から下方に引き出される。握持部材７５を所定レベルに静止させる係留手段（図示せず）によって握持部材７５を任意の支持体に係留すると、積層フィルム１０は、残留応力に抗して筐体２と係留手段との間に展張され、表示３５（図１）が、積層フィルム１０の表面に表出する。表示具１は、表示具１の片側のみに表示３５を表出するように設計しても、或いは、表示具１の両側に表示３５を表出するように設計しても良い。
【００４４】
係留手段による握持部材７５の係留を解放すると、積層フィルム１０は、残留応力によって、回転軸２２を回転させながら、巻回ロール３０に巻込む。握持部材７５が最上昇位置（図７（Ａ））まで上昇したとき、積層フィルム１０は、その残留応力を喪失して安定し、静止する。かくして、積層フィルム１０は、図７（Ａ）に示す初期状態に巻き取られる。
【実施例５】
【００４５】
図８は、本考案の第５実施例に係る表示具の構成を示す断面図及び立面図である。
【００４６】
図８に示す表示具１は、上記第４実施例と同様、左右一対の積層フィルム巻回物３と、左右一対の案内ローラ８０とを備える。空気等の任意の気体を封入可能な可撓性膜の球体８５が、案内ローラ８０の間に配置される。球体８５に空気等の気体を導入すると、球体８５は膨張する。積層フィルム１０は、帯状形態を有し、球体８５の最大直径位置を周回するように配置されており、球体８５の膨張によって、図８（Ｂ）及び図８（Ｃ）に示すように環状に展開し、積層フィルム１０の表示３５を球体廻りに表出させる。
【実施例６】
【００４７】
図９は、本考案の第６実施例を示す部分破断斜視図である。
【００４８】
本実施例の表示具１は、方形筐体２内に収納した積層フィルム巻回物３と、基台９０とを有する。基台９０は、巻回物３から繰出した積層フィルム１０を支持する裏当て面９１を形成する。筐体２内には、積層フィルム１０を案内する案内ローラ８０が配置されるとともに、積層フィルム１０に摺接するイレーザー８２が配設される。開口６の外側に位置する積層フィルム１０の先端縁には、フレーム１８が取付けられ、把持部１７が、フレーム１８の中央部に取付けられる。
【００４９】
把持部１７を手指で引っ張ると、回転軸２２は回転し、積層フィルム巻回物３は、積層フィルム１０を繰出す。積層フィルム１０は、図９（Ｂ）に示すように、開口６から引き出される。把持部１７を係留手段８によって基台の端部に係留すると、積層フィルム１０は、裏当て面９１上に展開する。
【００５０】
本実施例では、積層フィルム１０には、予め文字・図形等の表示が描かれておらず、所望の文字・図形等の表示３６が、ホワイトボード用マーカーペン等の筆記具によって、使用時に積層フィルム１０に描かれる。
【００５１】
係留手段８による把持部１７の係留を解放すると、積層フィルム１０は、その残留応力によって、回転軸２２を回転させながら、巻回ロール３０に巻込む。イレーザー８２は、積層フィルム１０の上面に摺接し、積層フィルム１０上に描かれた表示３６を消去する。把持部１７が開口６の近傍まで移動したとき、積層フィルム１０は、その残留応力を喪失して安定し、静止する。かくして、積層フィルム１０は、図９（Ａ）に示す初期状態に巻き取られる。
【００５２】
本実施例の表示具１は、随時書換え可能な広告媒体として使用し得るのみならず、消去機能付きの幼児用らくがき用玩具や、ホワイトボード、メニューボード等の玩具又は文具として使用することができる。
【００５３】
以上、本考案の好適な実施例について詳細に説明したが、本考案は上記実施例に限定されるものではなく、実用新案登録請求の範囲に記載された本考案の範囲内で種々の変形又は変更が可能であるであることはいうまでもない。
【００５４】
例えば、本考案の表示具をポスターや、カレンダー、或いは、車両の窓等に配置されるカーシェード、照明器具を部分的に覆う照明器具用のシェード又は笠、更には、ブラインド等として設計しても良い。
【産業上の利用可能性】
【００５５】
本考案によれば、文字、図形、記号、絵画、写真等を表示した表示膜を繰出し可能な巻回物を備えた簡易且つ安価な構造の表示具が提供される。本考案の構成は、表示を予め印刷又は描写した表示膜を露出又は隠蔽するための表示具に限られるものではなく、任意の文字等を描写可能な表示具（玩具又は文具等）に適用することができる。
【図面の簡単な説明】
【００５６】
【図１】本考案において使用される積層フィルム巻回物の構造を例示する積層フィルムの部分拡大断面図、積層フィルム巻回物の繰出し時及び巻取り時の態様を示す斜視図である。
【図２】本考案の第１実施例に係る表示具の構成を示す断面図及び部分破断斜視図である。
【図３】本考案の第２実施例に係る表示具の構成を示す断面図である。
【図４】本考案の第２実施例に係る表示具の構成を示す断面図である。
【図５】本考案の第３実施例に係る表示具の構成を示す側面図である。
【図６】本考案の第４実施例に係る表示具の構成を示す断面図である。
【図７】天井等に取付けられた第４実施例の表示具を示す断面図及び部分破断斜視図である。
【図８】本考案の第５実施例に係る表示具の構成を示す断面図及び立面図である。
【図９】本考案の第６実施例を示す部分破断斜視図である。
【符号の説明】
【００５７】
１  表示具
２  筐体
３  積層フィルム巻回物
４  固定手段
５  支持体
６  開口
７  フィルム展開手段
８  係留手段
９  水平支持体（天井）
１０  積層フィルム
１１  第１層
1 ２  第２層
１３  表面層
１４  裏面層
１５  金属薄膜
１７  把持部
１８  フレーム
２０  支軸
２１  固定軸
２２  回転軸
３０  巻回ロール
３５、３６  表示
７０  牽引ローラ
７１  フィルム先端係留ローラ
７２  牽引軸
７４、７７  連結部材
７５  握持部材
８０  案内ローラ
８２  イレーザー
８５  球体
９０  基台
９１  裏当て面
【図１】
0003108963.tif 000003
【図２】
0003108963.tif 000004
【図３】
0003108963.tif 000005
【図４】
0003108963.tif 000006
【図５】
0003108963.tif 000007
【図６】
0003108963.tif 000008
【図７】
0003108963.tif 000009
【図８】
0003108963.tif 000010
【図９】
0003108963.tif 000011